Podtech/llm-jp-corpus-v4-ja_patent huggingface dataset:
【手続補正書】
【提出日】平成19年7月4日(2007.7.4)
【手続補正１】
【補正対象書類名】明細書
【補正対象項目名】特許請求の範囲
【補正方法】変更
【補正の内容】
【特許請求の範囲】
【請求項１】  ＷＯ９９／３６５４４の配列番号６０
【化１】
2003504062.tif 000001
のフラグメントを含むタンパク質であって、
該フラグメントは、（ａ）該配列番号６０のアミノ酸フラグメント１４６８〜１４７３、１５３２〜１５４８、１５４６〜１５５５、１５３２〜１５５５、１５３４〜１５４０、１５８５〜１５９７、１６４７〜１６６５、１６４９〜１６６５、１６５５〜１６６０、１７３９〜１７４６、１７４０〜１７４６、１７５２〜１７５７、１７７２〜１７７８、１８１７〜１８２６、１８２９〜１８３５、１８４０〜１８５１、１８４１〜１８５９、１８４２〜１８５５、１８６７〜１８８６、１８７１〜１８８１、１８８３〜１８９６、１８９７〜１９０３、１９１７〜１９２２、１９２２〜１９２７、１９２６〜１９３４、１９３４〜１９４６、１９３８〜１９４５、１９４７〜１９５７、１９４８〜１９５４、１９５０〜１９５５、１９５７〜１９６４、１９６１〜１９６８、および／または１９６２〜１９６７のうちの１つ以上を含み、（ｂ）少なくとも１つのナイセリアＢ細胞エピトープまたはナイセリアＴ細胞エピトープを含み、かつ（ｃ）該配列番号６０のうちの１９７７個以下のアミノ酸を有する、タンパク質。
【請求項２】  請求項１に記載のタンパク質をコードする核酸。
【請求項３】  請求項１に記載のタンパク質または請求項２に記載の核酸を含む組成物であって、該組成物は、診断試薬または免疫原性組成物である、組成物。
【請求項４】  医薬としての使用のための、請求項３に記載の組成物。
【請求項５】  
（ｉ）ナイセリア属細菌による感染を処置もしくは予防するための医薬；
（ｉｉ）ナイセリア属細菌の存在もしくはナイセリア属細菌に対して惹起された抗体の存在を検出するための診断試薬；および／または
（ｉｉｉ）ナイセリア属細菌に対する抗体を惹起し得る試薬；
の製造における、請求項１に記載のタンパク質または請求項２に記載の核酸の使用。
【手続補正書】
【提出日】平成19年2月2日(2007.2.2)
【手続補正１】
【補正対象書類名】明細書
【補正対象項目名】請求項２３
【補正方法】変更
【補正の内容】
【請求項２３】  円形曲線（３０）はチャネル曲線（２７）に重なった状態で、係合手段（３４）の第２懸架部が、機能距離（３５）における係合手段（３４）が垂直にトラフ（３）に直角に方向配置されるように案内されることを特徴とする請求項２１または２２に記載の機器。
【手続補正２】
【補正対象書類名】明細書
【補正対象項目名】請求項３６
【補正方法】変更
【補正の内容】
【請求項３６】  胴部（１２）からの頭（１３）の分離に関して、尖った物体（３４）と魚（１、２）との間の形状固定を維持するための手段が設けられていることを特徴とする請求項１５から３５のいずれか一項に記載の機器。
【手続補正書】
【提出日】平成19年6月25日(2007.6.25)
【手続補正１】
【補正対象書類名】明細書
【補正対象項目名】特許請求の範囲
【補正方法】変更
【補正の内容】
【特許請求の範囲】
【請求項１】  力Ｆを発生させるように作動される、ステーターと可動アーマチュアとを備える磁気装置と、
前記アーマチュアの所望の第１運動を示す第１信号の信号源と、
前記アーマチュアの第２運動を示す第２信号の信号源と、
前記アーマチュアに前記力の第１の部分を発生させるように、前記アーマチュアに巻掛けられて前記第１信号の信号源に接続された第１導電コイルと、
前記アーマチュアに前記力の、より小さい第２の部分を発生させるように、前記アーマチュアに巻掛けられて前記第２信号の信号源に接続された第２導電コイルとを備える、アクチュエーターであって、
前記力の第１の部分は、前記力の第２の部分より少なくとも１桁大きく、
前記第１信号のノイズは、前記第２信号の大きさと少なくとも同じくらいの大きさを有しており、
さらに、前記ノイズを除去するように作動される、前記第１信号の信号源と前記第１導電コイルとの間に接続されるフィルターを備えていることを特徴とする、アクチュエーター。
【請求項２】  位置決めされるようになっていて、望ましくない振動を受ける装置と、
力Ｆを加えるように作動されるアクチュエーターと、
前記装置の所望の位置を示す第１出力を有する制御部と、
前記第１出力を受け入れるように接続されており、前記装置の前記所望の位置に応じて第１制御Ｉｃｏａｒｓｅを発生させるために、第１信号を増幅させるように作動される第１増幅器と、
前記装置が受ける振動を示す第２出力を有している前記制御部に対して前記振動を示す信号を生成するように、前記装置と前記制御部とに接続された振動センサーと、
前記第２出力を受け入れて、前記装置の振動に応じて第２制御Ｉｆｉｎｅを発生させるように接続された第２増幅器とを備える、多重分解能駆動装置。
【請求項３】  ２つの信号を有するアクチュエーターの動きを制御する方法であって、該２つの信号のうち第１信号は第２信号をマスクするノイズを有しており、前記方法は、
前記ノイズを前記第１信号から独立にフィルター除去する工程と、
前記アクチュエーターに、前記フィルターにかけられた第１信号を供給する工程と、
前記アクチュエーターの動きが、前記フィルターにかけられた第１信号の大きさによって決まる第１の部分と、前記第２信号の大きさによって決まる、より小さい第２の部分とを有するように、前記アクチュエーターに前記第２信号を独立して供給する工程からなる方法。
【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】  
【請求項１】  発現カセットを含む単離された組換えＤＮＡ分子であって、ここで該発現カセットは、Ｔ型カルシウムチャネルα１サブユニットをコードするヌクレオチド配列を含み、該α１サブユニットは、配列番号２４、配列番号２６、配列番号２８または配列番号３７と同一のアミノ酸配列を有し、該コード配列は、制御配列に作動可能に連結されてその発現をもたらす、単離された組換えＤＮＡ分子。
【請求項２】  前記α１サブユニットが、配列番号３７のアミノ酸配列を有する、請求項１に記載のＤＮＡ分子。
【請求項３】  前記α１サブユニットが、配列番号２８のアミノ酸配列を有する、請求項１に記載のＤＮＡ分子。
【請求項４】  前記α１サブユニットが、配列番号２６のアミノ酸配列を有する、請求項１に記載のＤＮＡ分子。
【請求項５】  前記α１サブユニットが、配列番号２４のアミノ酸配列を有する、請求項１に記載のＤＮＡ分子。
【請求項６】  請求項１〜５のいずれかに記載のＤＮＡ分子を含むように改変された、組換え宿主細胞。
【請求項７】  哺乳動物細胞である、請求項６に記載の細胞。
【請求項８】  組換え機能的カルシウムチャネルの産生をもたらす方法であって、該方法は、該機能的カルシウムチャネルが産生される条件下で、請求項６または７に記載の細胞を培養する工程を包含する、方法。
【請求項９】  Ｔ型哺乳動物カルシウムチャネルのための調節因子である化合物を同定するための方法であって、該方法は、請求項８に記載されるような細胞を該化合物と接触させる工程、および該化合物の該細胞に対する効果を評価する工程を包含する、方法。
【手続補正２】
【補正対象書類名】明細書
【補正対象項目名】０００８
【補正方法】変更
【補正の内容】
【０００８】
Ｓｔｅａ，Ａ．ら、（１９９４）（前記）で記述されているように、α1サブユニットは、一般的に、２０００アミノ酸オーダーの長さがあり、ウサギ由来のα1Sの１８７３アミノ酸長から、ウサギ由来α1Aの２４２４アミノ酸長の範囲に及ぶ。一般的にこれらのサブユニットには、３個または４個のアミノ酸ごとに正に荷電した残基を持つ一つのセグメント（Ｓ４）とともにそれぞれが６個の推定のアルファへリックス膜貫通セグメント（Ｓ１−Ｓ６）を持つ４個の内部相同的繰り返し（Ｉ−ＩＶ）を含む。スプライシングの相違による例外が少数存在する。ドメインＩＩとドメインＩＩＩとの間に、α1Sにおいて興奮収縮連関を仲介し、また、サブタイプの間で、１００〜４００アミノ酸残基の範囲であると考えられている細胞質ドメインがある。ドメインＩ−ＩＶは、分子の大体２／３を占め、ドメインＩＶのＳ６領域に隣接するそのカルボキシル末端は、カルシウムチャネルの細胞内側にあると考えられている。Ｓｔｅａ，Ａ．ら（前記）によりクローニングされ記述されている、βサブユニット結合部位であるドメインＩ  Ｓ６膜貫通セグメントの下流の全てのサブユニットにおいて共通モチーフ（ＱＱ−Ｅ−Ｌ−ＧＹ−ＷＩ−Ｅ）（配列番号３６）がある。
【手続補正３】
【補正対象書類名】明細書
【補正対象項目名】００６３
【補正方法】変更
【補正の内容】
【００６３】
ヒト視床ｃＤＮＡライブラリにおいて、ＭＤ−１９−センスプライマー（５’ＧＣＧＴＧＧＡＧＣＴＣＴＴＴＧＧＡＧ３’（配列番号３７）および、Ｇ−２６アンチセンスプライマー（５‘ＧＣＡＣＣＣＡＧＴＧＧＡＧＡＡＡＧＧＴＧ３’）（配列番号３８）を用いてＰＣＲ法により、３’α1GサブユニットｃＤＮＡの残りの領域を得た。用いたＰＣＲプロトコールは、９４℃にて３０秒、５８℃にて３０秒、７２℃にて３０秒を２５サイクル繰り返す、というものであった（Ｂｉｏ−Ｒａｄ  Ｇｅｎｅ  Ｃｙｃｌｅｒ）。ｐＧｅｍ−Ｔ−Ｅａｓｙ  プラスミドベクター（Ｐｒｏｍｅｇａ）に、１６１７ｂｐのｃＤＮＡフラグメントをサブクローニングし、配列決定した。３’ＰＣＲ  ｃＤＮＡを、停止コドンを含む、ドメインＩＶ−Ｓ５からカルボキシル末端に広がるヒトα1Gサブユニットとして同定した。
【手続補正書】
【提出日】平成19年7月5日(2007.7.5)
【手続補正１】
【補正対象書類名】明細書
【補正対象項目名】特許請求の範囲
【補正方法】変更
【補正の内容】
【特許請求の範囲】
【請求項１】
上側表面と、この上側表面内に形成され、底壁と互いに対向した側壁とで規定される周方向に延びる少なくとも１本の溝とを有するタイヤのトレッドにおいて、
各側壁は底壁の所で周方向に延びる第１の波形に形成され且つ上側表面と底壁との間の位置では周方向に延びる第２の波形に形成され、第１の波形および第２の波形は各側壁が交互に突出部分と凹み部分とからなる輪郭形状を有するように互いに位相を異にしており、第２の波形が上記突出部分および凹み部分の頂点を規定しており、上側表面での溝の対向するエッジが周方向に直線状に延びていることを特徴とするトレッド。
【請求項２】
第１の波形および第２の波形が両方とも正弦波である請求項１に記載のトレッド。
【請求項３】
第１の波形が正弦波、ジグザグ波または階段波の１つである請求項１に記載のトレッド。
【請求項４】
第２の波形が正弦波、ジグザグ波または階段波の１つである請求項３に記載のトレッド。
【請求項５】
各側壁の各突出部分における側壁の底の端部が、突出部分での側壁の上側エッジよりも溝の中心より横断方向外側にある請求項１に記載のトレッド。
【請求項６】
上側表面での溝の対向するエッジが第３の波形に形成され、この第３の波形および第２の波形が周方向に位相を異にしている請求項１に記載のトレッド。
【請求項７】
第３の波形が正弦波、ジグザグ波または階段１つである請求項６に記載のトレッド。
【請求項８】
第１の波形および第２の波形が溝の上側エッジでの垂直基準線に対して互いに異なる振幅を有する請求項１に記載のトレッド。
【請求項９】
各側壁の第２の波形の突出部分が溝の周方向中心線を超えて延びている請求項１に記載のトレッド。
【請求項１０】
少なくとも１本の横断方向溝をさらに含み、この横断方向溝が上側表面、底壁および互いに対向する側壁に対してほぼ垂直な深さを有し、底壁では互いに対向する側壁が第１の波形で形成され、上側表面と底壁との間の位置では互いに対向する側壁が第２の波形で形成され、第１の波形および第２の波形は各側壁が交互の突出部分と凹み部分とからなる輪郭形状を有するように互いに位相を異にしており第２の波形が突出部分および凹み部分の頂点を規定する請求項１に記載のトレッド。
【手続補正書】
【提出日】平成19年4月13日(2007.4.13)
【手続補正１】
【補正対象書類名】明細書
【補正対象項目名】特許請求の範囲
【補正方法】変更
【補正の内容】
【特許請求の範囲】
【請求項１】  実質的に主として銅で作られた部品、例えば冷却エレメントのハウジングエレメントに作られている穴に、主として銅で作られた栓を配設する、穴、特に冷却エレメントの穴の栓詰め方法において、前記栓の側面と前記穴の内面との間に、接合される複数の部品の溶融温度よりも低い溶融温度のろう付け剤を配設し、前記接合すべき複数の表面のうちの少なくとも１つ、および／または前記ろう付け剤フォイルの表面にすずの層を設け、前記栓と、冷却エレメントのハウジングエレメントなどの前記部品との間の接合区域を少なくとも前記ろう付け剤の溶融温度まで、もしくはその付近まで加熱し、その後、前記接合区域を冷却することを特徴とする穴の栓詰め方法。
【請求項２】  請求項１に記載の方法において、前記穴に前記栓を挿入する前に、前記ろう付け剤を、前記ハウジングエレメントに設けた穴へ、および／または前記栓の接合部表面へ配置することを特徴とする穴の栓詰め方法。
【請求項３】  請求項１または２に記載の方法において、前記ろう付け剤はフォイル形状であることを特徴とする穴の栓詰め方法。
【請求項４】  請求項１ないし３のいずれかに記載の方法において、前記ろう付け剤を、組合せAg+Cu と、Al+Cu と、Sn+Cu と、Sb+Cu とを含むグループから選択することを特徴とする穴の栓詰め方法。
【請求項５】  請求項１ないし４のいずれかに記載の方法において、前記ろう付け剤は、一定の合金組成を有するとともに、銅との共晶組成を有することを特徴とする穴の栓詰め方法。
【請求項６】  請求項１ないし３のいずれかに記載の方法において、前記ろう付け剤を実質的にAgとすることを特徴とする穴の栓詰め方法。
【請求項７】  請求項１ないし３のいずれかに記載の方法において、前記ろう付け剤を実質的にAlとすることを特徴とする穴の栓詰め方法。
【請求項８】  請求項１ないし７のいずれかに記載の方法において、前記ろう付け剤フォイルの厚さを10〜500μm 、有利には20〜100μm とすることを特徴とする穴の栓詰め方法。
【請求項９】  請求項８に記載の方法において、前記フォイルの厚さを中間部では10〜100μm に、表面層では1〜20μm とすることを特徴とする穴の栓詰め方法。
【請求項１０】  請求項１ないし９のいずれかに記載の方法において、ろう付けに加えて、前記栓を前記ハウジングエレメントへ溶接することを特徴とする穴の栓詰め方法。
【請求項１１】  主として銅で作られたハウジングエレメントと、冷却剤循環用の該ハウジングエレメントに作られた流路とを含み、該流路を作る時に該ハウジングエレメントに冷却エレメントの表面に対して開口している複数の穴を作り、該穴の少なくとも一部を栓詰めする炉用冷却エレメントにおいて、前記栓および前記ハウジングエレメントの接合部は、拡散継手を含むすずであることを特徴とする冷却エレメント。
【請求項１２】  請求項11に記載の冷却エレメントにおいて、前記接合部両面は、主として前記栓の側面および前記穴の内面から成ることを特徴とする冷却エレメント。
【請求項１３】  請求項11または12に記載の冷却エレメントにおいて、前記栓は、ねじ切り部と円錐形接合部とを含むことを特徴とする冷却エレメント。
【請求項１４】  請求項11ないし13のいずれかに記載の冷却エレメントにおいて、前記接合部面間に配設されたろう付け剤フォイルを用いることによって前記接合部は作られることを特徴とする冷却エレメント。
【請求項１５】  請求項11ないし14のいずれかに記載の冷却エレメントにおいて、前記栓の前記接合部分は自動心出しになるように作られることを特徴とする冷却エレメント。
【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  農業家畜のような動物居住区においてこれらの動物により生成されるスラリー、または洗浄水または工業廃液および／または工業残渣を乾燥させる方法において、該方法は、
適当なキャリヤ材料を有する通気性乾燥床を提供する工程；
例えば強制噴霧によって乾燥床上にスラリーを配置する工程；
乾燥空気を吸引および／または噴出し、その空気を乾燥床を通過させて誘導する工程；
乾燥させた肥料を除去する工程；および
乾燥床の所定の通気性を確保するために、キャリヤ材料を選択された回数、例えば定期的または連続的にかき混ぜる工程；を包含し、
乾燥床に入る乾燥空気の量を測定する工程；
乾燥床から出る空気の量を測定する工程；および
該測定量に基づいてスラリーを配置し、キャリヤ材料をかき混ぜ、および乾燥肥料を除去する工程；により特徴付けられる方法。
【請求項２】  前記量が流動速度、温度および／または相対湿度である請求項１記載の方法。
【請求項３】  前記空気が動物居住区由来の空気である先行請求項のいずれか記載の方法。
【請求項４】  バクテリア培養物のような添加物をスラリーに添加する工程；を包含する請求項１記載の方法。
【請求項５】  請求項１記載の方法を実施するための装置において、該装置は、
ハウジング；
ハウジング内に配置された適当なキャリヤ材料を有する通気性乾燥床；
乾燥床を覆うスラリーの実質的に均一な分布のための、ハウジング内に配置され、乾燥床の上に設置された塗布手段；
動物居住区からできるだけ均一に空気を吸引および／または噴出し、そして該空気を誘導して乾燥床を通過させるための換気手段；および
乾燥させた肥料の層を除去するための除去手段；
乾燥床に入る空気の量および乾燥床から出る空気の量を測定するための測定手段；および
該測定量に基づいて塗布手段および除去手段を制御するための制御手段；
を有する装置。
【請求項６】  所定の通気性を確保するために乾燥床上のキャリヤ材料をかき混ぜるためのかき混ぜ手段；を有する請求項５記載の装置。
【請求項７】  スラリーを保存するための貯蔵槽；および
該貯蔵層中でスラリーを均一化するための手段；
を有する請求項５記載の装置。
【請求項８】  前記ハウジングが規格化された寸法の容器である請求項５記載の装置。
【請求項９】  ２個の回路を有する熱交換機が換気手段の出口に接続されており、乾燥床を通過して誘導された空気は第１の回路を流通し、新鮮清浄な空気は第２回路を流通して、２つの流動の間で熱が交換される、請求項５記載の装置。
【請求項１０】  居住区由来の空気および乾燥床を誘導通過された空気の量を測定するための手段；および
測定された量に基づいて塗布手段、除去手段および／またはかき混ぜ装置を制御するための制御手段；
を有する請求項５〜９のいずれか記載の装置。
【手続補正２】
【補正対象書類名】明細書
【補正対象項目名】０００５
【補正方法】変更
【補正の内容】
【０００５】
ＵＳ−Ａ−５６６６９０５号に記載の装置の他の欠点は、肥料が乾燥される空間が居住区全体の下部に広がっていることである。このような構成では余分なコストが必要となる。
ＣＨ−Ａ−６８４７７１は、ヘイ（ｈｅｙ）の乾燥床に入る空気の量が測定され、かつヘイの床から来る空気の量が測定される、ヘイの乾燥方法を記述している。これらの測定量に基づいて、この乾燥床を通じて空気を噴出するファンをつけたりけしたりする。これは測定量に基づいて適合し得る乾燥プログラムによって制御されている。
【手続補正３】
【補正対象書類名】明細書
【補正対象項目名】０００６
【補正方法】変更
【補正の内容】
【０００６】
ＵＳ−Ａ−４７０６６０７号には肥料を乾燥させるための装置および方法が記載されている。ここでのスラリーはスラットのある床を通っておが屑の濃い層をひいた底部に導かれる。スラリーとおが屑とは、かき混ぜ機によって定期的にかき混ぜられる。
【手続補正書】
【提出日】平成19年7月5日(2007.7.5)
【手続補正１】
【補正対象書類名】明細書
【補正対象項目名】特許請求の範囲
【補正方法】変更
【補正の内容】
【特許請求の範囲】
【請求項１】  第１の主面と第２の主面とを有する剛性裏材と、
多孔性セラミックマトリックスに分散された複数の研摩粒子を含む複数のセラミック研摩複合材料と、
前記セラミック研摩複合材料を前記裏材の主面に固定する、前記セラミック研摩複合材料の平均高さより厚さの薄い少なくとも１つの金属コーティング
とを含有する研摩物品。
【請求項２】  （ａ）研摩物品のセラミック研摩複合材料がワークピースの表面と接触するように前記ワークピースの表面を請求項１記載の研摩物品と接触させる工程と、
（ｂ）前記ワークピースと前記研摩物品との界面に液体を適用する工程と、
（ｃ）前記研摩物品が前記ワークピースの前記表面を研摩して表面粗さを与えるように前記ワークピースと前記研摩物品を互いに動かす工程と
を含むワークピースの研摩方法。
【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】  ペースト状製品をプリントスクリーンに塗布するためのスクリーンプリントヘッドであって、以下：
主本体；
該プリントスクリーンに接触するための、該主本体に配置されたワイパーブレード；
該ペースト状製品の供給を含むためのリザーバを提供する第１チャンバであって、該第１チャンバは、該主本体によって少なくとも一部規定されかつ少なくとも１つの出口開口部を含み、該ペースト状製品は、該出口開口部を通って、使用の際に圧力下で押し進められる、第１チャンバ；
該少なくとも１つの出口開口部と流体連絡する第２チャンバであって、該第２チャンバは、該主本体および該ワイパーブレードによって少なくとも一部規定され、かつ使用の際に該プリントスクリーンと連絡する、第２チャンバ；ならびに
該第２チャンバ中に配置され、かつ使用の際に、該プリントスクリーンの表面上を通過する、該第２チャンバ中に含まれるペースト状製品の循環流、および該プリントスクリーンに向かいかつその中の開口中に該ペースト状製品の循環流を押し進めるように作用する、該プリントスクリーンに向かう該ペースト状製品の流れを引き起こすように構成される、フローディレクター、
を備える、スクリーンプリントヘッド。
【請求項２】  前記少なくとも１つの出口開口部が、細長スロットを備える、請求項１に記載のプリントヘッド。
【請求項３】  請求項１または２に記載のプリントヘッドであって、ここで、前記フローディレクターが、第１循環帯域および第２循環帯域を規定するようにさらに構成され、該第１循環帯域および第２循環帯域において、該前記ペースト状製品は、局所的に循環され、そして該第１循環帯域および第２循環帯域を通って前記循環流が指向される、プリントヘッド。
【請求項４】  前記フローディレクターが、ベーンを備え、使用の際に、前記循環流が、該ベーンの低部縁の真下を通過する、請求項１〜３のいずれかに記載のプリントヘッド。
【請求項５】  請求項４に記載のプリントヘッドであって、前記少なくとも１つの出口開口部の対向側面上に配置される第１ベーンおよび第２ベーンを備え、該ベーンの前記低部縁が、前記プリントスクリーンに向って指向されるノズルを規定する、プリントヘッド。
【請求項６】  前記ノズルが、細長ノズルである、請求項５に記載のプリントヘッド。
【請求項７】  請求項１〜６のいずれかに記載のプリントヘッドであって、ここで、前記主本体は、第１ローブ部材および第２ローブ部材を含み、該ローブ部材は、前記第２チャンバを一部規定し、該ローブ部材は、前記ワイパーブレードのそれぞれ１つの上に配置されかつ前記循環流を推進するように弓形低部表面を有する、プリントヘッド。
【請求項８】  前記主本体は、１以上のポートを含み、該ポートを通して前記第１チャンバは、前記ペースト状製品を装填され得る、請求項１〜７のいずれかに記載のプリントヘッド。
【請求項９】  前記主本体は、前記第１チャンバを少なくとも一部規定する交換可能カセットを含み、該第１チャンバは、該カセットの交換によって装填される、請求項１〜７のいずれかに記載のプリントヘッド。
【請求項１０】  前記ワイパーブレードは、可撓性ワイパーブレードを備える、請求項１〜９のいずれかに記載のプリントヘッド。
【請求項１１】  請求項１〜１０のいずれかのプリントヘッドを備える、スクリーンプリント装置。
【請求項１２】  スクリーンプリントヘッドを用いるスクリーンプリント方法であって、該スクリーンプリントヘッドは、プリントスクリーンと連絡するチャンバおよびフローディレクターを含み、該フローディレクターは、該チャンバ中に配置され、かつ該プリントスクリーンの表面上を通過する、該チャンバ中に含まれるペースト状製品の循環流、および該プリントスクリーンに向かいかつその中の開口中に該ペースト状製品の循環流を押し進めるように作用する、該プリントスクリーンに向かう該ペースト状製品の流れを引き起こすように構成され、該方法は、以下の工程：
該プリントスクリーンの表面上を通過する、該チャンバ中のペースト状製品の循環流を提供する工程；および
該プリントスクリーン上かつ該プリントスクリーン中の開口中にペースト状製品の該循環流を押し進めるように作用する、該プリントスクリーンに向かうペースト状製品の流れを提供する工程、
を包含する、方法。
【請求項１３】  請求項１２に記載の方法であって、該方法は、
第１循環帯域および第２循環帯域中にペースト状製品を局所的に循環させる工程
をさらに包含し、該循環流は、該帯域を通って指向される、方法。
【手続補正書】
【提出日】平成19年1月24日(2007.1.24)
【手続補正１】
【補正対象書類名】明細書
【補正対象項目名】特許請求の範囲
【補正方法】変更
【補正の内容】
【特許請求の範囲】
【請求項１】  特に１つまたは複数のＬＥＤラインから成るＬＥＤアレイに対して使用され、前記ＬＥＤラインは直列に配置された複数のＬＥＤから成り、該ＬＥＤは給電電圧（ＵBatt）に接続されている、
ＬＥＤ駆動回路において、
ＬＥＤラインと給電電圧との間に半導体スイッチ（Ｔ）が直列に配置されており、該半導体スイッチによりＬＥＤ電流がクロック制御された状態で供給され、
順方向電流（ＩF）の分路、特にＬＥＤとアースとの間で、電流（ＩF）の測定手段、特に測定抵抗（ＲShunt）がＬＥＤに対して直列に配置されており、制御回路によって半導体スイッチ（Ｔ）はＬＥＤ電流の一定の平均値が得られるように制御される、
ことを特徴とするＬＥＤ駆動回路。
【請求項２】  前記半導体スイッチはトランジスタ（Ｔ）である、請求項１記載の駆動回路。
【請求項３】  前記制御回路は積分素子を有する、請求項１記載の駆動回路。
【請求項４】  前記制御回路は比較器を有しており、該比較器は周波数発生器の信号と制御電圧（ＵRegel）とを比較する、請求項１記載の駆動回路。
【請求項５】  前記制御回路は制御器を有しており、該制御器はＬＥＤ電流の平均値の実際値と目標値とを比較する、請求項１記載の駆動回路。
【請求項６】  制御電圧（ＵRegel）は遮断検出手段によって監視される、請求項１記載の駆動回路。
【請求項７】  周波数発生器（ＯＳＺ）がクロックをバイナリカウンタに対して与え、該バイナリカウンタがアナログマルチプレクサ（ＭＵＸ）を制御し、全てのＬＥＤラインの制御電圧（ＵRegel1,2,...）が走査されることにより、複数のＬＥＤラインが監視される、請求項６記載の駆動回路。
【請求項８】  前記マルチプレクサの出力信号は比較器（ＣＯＭＰ）を介して記憶媒体（ＦＦ）へ送出される、請求項７記載の駆動回路。
【請求項９】  集積モジュール（ＩＣ）として実現されている、請求項１から８までのいずれか１項記載の駆動回路。
【請求項１０】  第１に内部のプルアップ抵抗（Ｒi）とモジュール（ＩＣ）内部の給電電圧（ＵV）およびＬＥＤ電流基準値に対する入力側とを接続してアースに対する外部抵抗（Ｒext）および内部のプルアップ抵抗（Ｒi）により分圧器を形成し、所望の順方向電流強度（ＩF）を調整し、第２にＬＥＤ電流基準値の入力側に順方向電流の最大強度（ＩF）まで調整可能な直流電圧を供給し、該直流電圧を順方向電流強度（ＩF）に対する尺度として用いることにより、ＬＥＤラインの順方向電流（ＩF）の外部からのフレキシブルな調整（プログラミング）が実現される、請求項９記載のモジュール。
【請求項１１】  モジュール（ＩＣ）の論理駆動は入力側（ＥＮＡＢＬＥ）を介して論理信号レベル（ハイまたはロー）によりモジュールがオンまたはオフされることにより実現される、請求項９記載のモジュール。
【請求項１２】  ステータス出力に関するエラー報告は、出力側に開放されたコレクタ（バイポーラインテグレーションに対する"オープンコレクタ"）または開放されたドレイン（ＣＭＯＳインテグレーションに対する"オープンドレイン"）が設けられており、かつ外部のプルアップ抵抗（ＲP）を接続してエラー信号レベル（ハイレベル）に対する出力信号レベルを自由に設定可能であることにより実現される、請求項９記載のモジュール。
【請求項１３】  誤接続に対する保護手段は、モジュール（ＩＣ）を給電電圧（例えば車両バッテリ）に接続する際に誤接続防止ダイオードがモジュール内部の回路を保護することにより実現される、請求項９記載のモジュール。
【請求項１４】  給電電圧の入力側で発生する過電圧に対する保護手段は、給電電圧（ＵBatt）に対する入力ピンの個所でツェナーダイオードおよび極性反転されたダイオードから成るコンビネーションが作用することにより実現される、請求項１３記載のモジュール。
【請求項１５】  特にＬＥＤラインまたはＬＥＤアレイで使用される
ＬＥＤ駆動方法において、
ＬＥＤ順方向電流（ＩF）を迅速な半導体スイッチ（トランジスタＴ）によってクロック制御し、ＬＥＤ電流の平均値の実際値と外部の目標値とを制御器を介して比較し、制御をパルス幅変調により行う、
ことを特徴とするＬＥＤ駆動方法。
【請求項１６】  前記制御器の出力信号と周波数発生器（ＯＳＺ）の信号、特に三角波発生器の信号とを比較する、請求項１５記載の方法。
【請求項１７】  制御信号を遮断検出手段、特にフリップフロップ（ＦＦ）またはＬＥＤスキャニング手段によって監視する、請求項１５記載の方法。
【請求項１８】  センサ入力側を介して温度検出素子（特にＮＴＣ素子）を接続し、順方向電流（ＩF）の周囲温度（ＴA）の所定の閾値が上方超過される場合に所定の特性曲線にしたがってフィードバック制御を行うことにより、ＬＥＤの順方向電流の温度に依存する制御を実現する、請求項１５記載の方法。
【請求項１９】  内部の給電電圧を各入力電圧（ＵBatt）から安定した内部給電電圧として形成することにより、種々の給電電圧を有する回路動作を行う、請求項１５記載の方法。
【手続補正２】
【補正対象書類名】明細書
【補正対象項目名】０００１
【補正方法】変更
【補正の内容】
【０００１】
発明の属する技術分野
本発明は独立請求項の上位概念記載のＬＥＤ駆動回路およびＬＥＤ駆動方法に関する。本発明は特に発光ダイオードＬＥＤにおいてクロック制御されるＬＥＤ駆動回路により駆動損失電力を低減する手段に関する。
【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】  案内広告の検索を可能にするシステムであって、該システムが、
リスト検索トランザクションに関する情報を含むフォームと、該フォームは同フォームのＩＤおよび同フォームの少なくとも１つの基準ポイントを示すコード化データを含むことと、
検知装置からリスト検索トランザクションに関する少なくとも１つのパラメータを識別するために指示データを受信するためのコンピュータ・システムと、前記指示データは前記フォームのＩＤおよび前記フォームに対する前記検知装置の位置を示すことと、前記検知装置は、前記コード化データの少なくとも一部を使用して前記指示データを検知することとを備えるシステム。
【請求項２】  請求項１記載のシステムにおいて、リスト検索トランザクションに関する前記少なくとも１つのパラメータが、前記フォームの少なくとも１つの区域に関連付けられているシステム。
【請求項３】  請求項１記載のシステムにおいて、検知装置を含み、該検知装置は前記コード化データの少なくとも一部を使用して前記フォームに対する自身の動作を検知するシステム。
【請求項４】  案内広告の検索を可能にするシステムであって、該システムが、
リスト検索トランザクションに関する情報を含むフォームと、該フォームが前記リスト検索トランザクションの少なくとも１つのパラメータを示すコード化データを含むことと、
前記少なくとも１つのパラメータ、および前記フォームに対する検知装置の動作に関するデータを前記検知装置から受信し、かつ前記検知装置の動作を、前記少なくとも１つのパラメータに関連するものと解釈するためのコンピュータ・システムと、前記検知装置は前記フォームに対して作動させられると、前記コード化データの少なくとも一部を使用して、前記少なくとも１つのパラメータに関するデータを検知して、前記フォームに対する自身の動作に関するデータを生成することとを含むシステム。
【請求項５】  案内広告の検索を可能にするシステムであって、該システムが、
フォームのＩＤを示すコード化データを含むフォームと、
ユーザのＩＤおよびフォームのＩＤに関するデータを検知装置から受信し、その受信データからリスト検索トランザクションを識別するためのコンピュータ・システムとを含み、前記検知装置は前記ユーザのＩＤに関するデータを含み、前記コード化データの少なく
とも一部を使用して前記フォームのＩＤに関するデータを検知するシステム。
【請求項６】  請求項５記載のシステムにおいて、コード化データはリスト検索トランザクションの少なくとも１つのパラメータをも示し、コンピュータ・システムは前記リスト検索トランザクションの前記少なくとも１つのパラメータに関する指示データを検知装置から受信し、該検知装置は前記コード化データの少なくとも一部を使用して前記指示データを検知するシステム。
【請求項７】  請求項５記載のシステムにおいて、検知装置を備え、該検知装置はフォームに対する自身の動作を検知するシステム。
【請求項８】  請求項１、４または６の何れか１項記載のシステムにおいて、リスト検索トランザクションの少なくとも１つのパラメータが、前記リスト検索トランザクションの動作パラメータ、前記リスト検索トランザクションのオプション・パラメータ、前記リスト検索トランザクションのテキスト・パラメータ、前記リスト検索トランザクションの許可パラメータ、および前記リスト検索トランザクションの図画パラメータのうちから選択されるシステム。
【請求項９】  請求項３、４または７の何れか１項記載のシステムにおいて、前記検知装置がマーキング用ペン先を備えるシステム。
【請求項１０】  請求項３または４記載のシステムにおいて、検知装置が、該検知装置に一意的ＩＤを与え、それを特定のユーザに属するものとして識別する識別手段を備えるシステム。
【請求項１１】  請求項１、４または５の何れか１項記載のシステムにおいて、フォームは面画定手段の面に印刷され、該システムが前記フォームをオンデマンドで印刷するプリンタを備えるシステム。
【請求項１２】  請求項１１記載のシステムにおいて、プリンタが、フォームを面画定手段に印刷するのと同時に、コード化データを印刷するシステム。
【請求項１３】  請求項１、４または５の何れか１項記載のシステムにおいて、コード化データは可視スペクトルにおいてほぼ不可視であるシステム。
【請求項１４】  請求項１または５記載のシステムにおいて、作成された各フォームの検索可能な記録を保持するデータベースを備え、各フォームがコード化データに含まれるようなＩＤを使用することにより検索可能であるシステム。
【請求項１５】  請求項１１記載のシステムにおいて、複数ページに印刷されるフォームに対応するため、前記プリンタがそれらのページを結合する結合手段を備えるシステム。
【手続補正書】
【提出日】平成19年6月29日(2007.6.29)
【手続補正１】
【補正対象書類名】明細書
【補正対象項目名】特許請求の範囲
【補正方法】変更
【補正の内容】
【特許請求の範囲】
【請求項１】
データ・シーケンス内で、目標データ・パターンに関しての類似性基準を満足させるマッチング・データ・パターンを探索する方法であって、
グラフィカル・ユーザ・インターフェイスを使用して、前記データ・シーケンスの少なくとも一部分のグラフィック表現を表示するステップと、
前記グラフィカル・ユーザ・インターフェイスを使用して、前記データ・シーケンス内の前記目標データパターンおよび前記類似性基準を定義するステップと、
パターン認識アルゴリズムを前記データ・シーケンスへ適用して、前記目標データ・パターンに関しての前記類似性基準を満足させる前記マッチング・データ・パターンを探索するステップと、
を備える方法。
【請求項２】
データ・シーケンス内で、目標データ・パターンに関しての少なくとも１つの検索条件を満足させるマッチング・データ・パターンを探索する方法であって、
グラフィカル・ユーザインターフェイスを使用して前記データ・シーケンス内の前記目標データ・パターンおよび前記少なくとも１つの検索条件を定義するステップと、
パターン認識アルゴリズムを前記データ・シーケンスに適用して、前記目標データ・パターンに関する前記検索条件を満足させる前記マッチング・データ・パターンを探索するステップと、
前記マッチング・データ・パターンをユーザに提示するステップと、
を備える方法。
【請求項３】
コンピュータ実行可能命令を有するコンピュータ読み取り可能媒体であって、
グラフィカル・ユーザ・インターフェイスを使用してデータ・シーケンスの少なくとも一部分のグラフィック表現を表示するステップと、
前記グラフィカル・ユーザ・インターフェイスを使用して前記データ・シーケンス内の目標データ・パターンおよび類似性基準を定義するステップと、
パターン認識アルゴリズムを前記データ・シーケンスに適用して、前記目標データ・パターンに関しての前記類似性基準を満足させる、前記データ・シーケンス内のマッチング・データ・パターンを探索するステップと
を行わせるコンピュータ実行可能命令を有するコンピュータ読み取り可能媒体。
【請求項４】
データ・シーケンス内で、目標データ・パターンに関しての類似性基準を満足させるマッチング・データ・パターンを探索するために使用するコンピュータ装置であって、
グラフィカル・ユーザ・インターフェイスを使用してデータ・シーケンスの少なくとも一部分のグラフィック表現を表示し、
前記グラフィカル・ユーザ・インターフェイスを使用して前記データ・シーケンス内の前記目標データ・パターンおよび類似性基準を定義し、
パターン認識アルゴリズムを前記データ・シーケンスに適用して、前記目標データ・パターンに関しての前記類似性基準を満足させる、前記データ・シーケンス内のマッチング・データ・パターンを探索する
ように構成されるコンピュータ装置。
【手続補正書】
【提出日】平成19年5月22日(2007.5.22)
【手続補正１】
【補正対象書類名】明細書
【補正対象項目名】特許請求の範囲
【補正方法】変更
【補正の内容】
【特許請求の範囲】
【請求項１】  オンライン・バンキングを可能にする方法であって、
バンキング・トランザクションに関する情報を含むフォームをバンキング顧客に提供するステップであって、該フォームが、該フォームの少なくとも１つの識別および該フォームの少なくとも１つの基準点を表すコード化データを含む、ステップと、
コンピュータ・システム内で、感知デバイスからの該フォームの少なくとも１つの識別および該フォームに対する相対的な該識別装置の位置に関する指示データを受信するステップであって、該感知デバイスが、該フォームに対して相対的に動作可能な位置に置かれる時に、該コード化データの少なくとも一部を使用して該指示データを感知する、ステップと、
該コンピュータ・システム内で、該指示データから、該バンキング・トランザクションに関する少なくとも１つのパラメータを識別するステップと
を含む方法。
【請求項２】  該バンキング・トランザクションに関する前記少なくとも１つのパラメータが、該フォームの少なくとも１つのゾーンに関連し、該方法が、該コンピュータシステム内で、それに対して相対的に該感知デバイスが配置されるゾーンから、前記少なくとも１つのパラメータを識別することを含むことを特徴とする、請求項１に記載の方法。
【請求項３】  該コンピュータ・システム内で、該フォームに対する相対的な該感知デバイスの移動に関するデータを受信することであって、該感知デバイスが、該コード化データの少なくとも一部を使用して、該フォームに対する相対的なその移動を感知する、受信することと、
該コンピュータ・システム内で、少なくとも部分的に前記少なくとも１つのゾーン内にある前記移動から、該バンキング・トランザクションの前記少なくとも１つのパラメータを識別することと
を含むことを特徴とする、請求項２に記載の方法。
【請求項４】  該コード化データが、前記少なくとも１つのパラメータも示すことを特徴とする、請求項１に記載の方法。
【請求項５】  該感知デバイスが、該バンキング顧客の該識別に関するデータを含み、該方法が、該コンピュータ・システム内で、該バンキング顧客の該識別および該フォームの該識別に関する該データから、バンキング・トランザクションを識別するステップをさらに含むことを特徴とする、請求項１記載の方法。
【請求項６】  該パラメータが、該バンキング・トランザクションの作用パラメータであり、該方法が、該コンピュータ・システム内で、該作用パラメータに関する動作をもたらすことを特徴とする、請求項１に記載の方法。
【請求項７】  該バンキング・トランザクションの該作用パラメータが、
バンキング・サービスに関する情報の要求、小切手の要求、小切手支払い拒絶宣言の要求、新規口座の申し込み、ローンの申し込み、口座履歴の要求、資金の受け出しの要求、資金の移動の要求、口座残高の要求、請求書の支払い、および請求書支払いのリストの要求、からなる群から選択されることを特徴とする、請求項６に記載の方法。
【請求項８】  該パラメータが、該バンキング・トランザクションのオプション・パラメータであり、該方法が、該コンピュータ・システム内で、該バンキング顧客が該感知デバイスによって手書きマークを入力したことを識別することと、該コンピュータ・システム内で、該オプション・パラメータに関連する動作をもたらすこととを含むことを特徴とする、請求項１に記載の方法。
【請求項９】  該オプション・パラメータが、
バンキング・サービスに関する情報の要求、小切手の注文、小切手支払い拒絶宣言の要求、新規口座の申し込み、ローンの申し込み、口座履歴の要求、資金の受け出しの要求、資金の移動の要求、口座残高の要求、請求書の支払い、請求書支払いのリストの要求、口座、通貨、および受取人名、の少なくとも１つに関連することを特徴とする、請求項８に記載の方法。
【請求項１０】  該パラメータが、該バンキング・トランザクションのテキスト・パラメータであり、該方法が、該コンピュータ・システム内で、該バンキング顧客が該感知デバイスによって手書きテキスト・データを入力したことを識別することと、該コンピュータ・システム内で、該テキスト・パラメータに関連する動作をもたらすこととを含むことを特徴とする、請求項１に記載の方法。
【請求項１１】  該コンピュータ・システム内で、該手書きテキスト・データをコンピュータ・テキストに変換することを含むことを特徴とする、請求項１０に記載の方法。
【請求項１２】  該テキスト・パラメータが、
小切手額、受取人名、通貨額、移動額、支払い額、支払い日、および小切手番号、の少なくとも１つに関連することを特徴とする、請求項１０に記載の方法。
【請求項１３】  該パラメータが、該バンキング・トランザクションの許可パラメータであり、該方法が、該コンピュータ・システム内で、該バンキング顧客が該感知デバイスによって手書き署名を入力したことを識別することと、該コンピュータ・システム内で、該許可パラメータに関連する動作をもたらすこととを含むことを特徴とする、請求項１に記載の方法
。
【請求項１４】  該コンピュータ・システム内で、該署名が該顧客の署名であることを検証することを含むことを特徴とする、請求項１３に記載の方法。
【請求項１５】  該許可パラメータが、
口座情報へのアクセス、資金の受け出し、資金の移動、請求書の支払い、請求書支払いの変更、請求書支払いの削除、小切手支払い拒絶宣言、および小切手の注文、の少なくとも１つの許可に関連することを特徴とする、請求項１３に記載の方法。
【手続補正書】
【提出日】平成19年7月4日(2007.7.4)
【手続補正１】
【補正対象書類名】明細書
【補正対象項目名】特許請求の範囲
【補正方法】変更
【補正の内容】
【特許請求の範囲】
【請求項１】  業界標準プロトコルに準拠した信号に通信リンクを提供するホストポートを含むホストシステムに周辺機器を接続するモジュールポート拡張システムであって、
ホストシステムのホストポートに接続可能なホストポートと、
ホストシステムのホストポートの業界標準プロトコルに準拠した信号に通信リンクをそれぞれが提供する複数のスレーブポートを規定するダウンストリームコネクタと、
ホストポートと複数のスレーブポートとを相互接続するハブモジュールインタフェース回路と、
を含むハブモジュール、ならびに、
業界標準プロトコルに準拠した信号に通信リンクを提供し、周辺機器に接続可能である周辺機器ポートと、
ハブモジュールのダウンストリームコネクタと解除可能に連結可能であり、ハブモジュールのダウンストリームコネクタにより規定されたスレーブポートに対応する複数のポートを規定するアップストリームコネクタであって、周辺機器モジュールのアップストリームコネクタとハブモジュールのダウンストリームコネクタにより、ハブと周辺機器モジュール間が機械的および電気的に相互接続されるアップストリームコネクタと、
アップストリームコネクタのポートの１つと周辺機器ポートとの間に接続される周辺機器インタフェース回路と、
周辺機器モジュールを別のモジュールの解除可能に連結可能なコネクタに機械的および電気的に接続するダウンストリームコネクタと、
を含み、ハブモジュールに周辺機器を結合し、ハブモジュールのダウンストリームコネクタに直接接続可能な周辺機器モジュール、
を具備するモジュールポート拡張システム。
【請求項２】  業界標準プロトコルに準拠する信号に通信リンクを提供するホストコンピュータシステムのポートにコンピュータ周辺機器を接続するモジュールであって、
前壁と、対向する平行な側壁とを有するハウジング、
コンピュータ周辺機器に接続可能であり、ハウジングの前壁に沿って設けられ、業界標準プロトコルに準拠した信号に通信リンクを与える周辺機器ポート、
ハウジングの側壁の一方に沿って設けられ、第１のポートと、第２のポートと、連続するポートとを含む複数のポートを規定するコンタクトを有する第１のコネクタ、
ハウジングの側壁の他方に沿って設けられ、第１のポートと、連続するポートとを含む複数のポートを規定するコンタクトを有する第２のコネクタ、および、
第１のコネクタの第１のポートと、周辺機器ポートとの間に接続されたインタフェース回路を具備し、
第１のコネクタの第２のポートおよび連続するポートは、第２のコネクタの第１のポートおよび連続するポートに順次接続されるモジュール。
【手続補正書】
【提出日】平成19年2月21日(2007.2.21)
【手続補正１】
【補正対象書類名】明細書
【補正対象項目名】００４０
【補正方法】変更
【補正の内容】
【００４０】
図５及び図６は、焦点合わせ用物体５０によって吸収される熱を減少させることができる別の方法を示している。図５は、焦点ぼけ（脱焦）距離に対してＳ字形焦点合わせエラー信号４７をプロットした図である。焦点合わせエラー信号４７は、最良焦点の±４０μｍの外では０である。生じた焦点合わせエラー信号中にオフセット又はずれを導入することにより、十分に大きな勾配をもつ曲線４７上の任意の点、例えば２０μｍの焦点ぼけ距離ｄ０  のところで焦点への固定が可能である。図６で最もよく分かるように、この焦点ぼけ距離のところでは、焦点のスポットサイズＳは、約１０μｍであり、これは、エネルギ密度が、約１μｍの焦点ウエストＷのところでの最良焦点のところのエネルギ密度の約１／１００であることを意味している。
【手続補正書】
【提出日】平成19年7月4日(2007.7.4)
【手続補正１】
【補正対象書類名】明細書
【補正対象項目名】請求項６
【補正方法】変更
【補正の内容】
【請求項６】  前記情報担体が実質的に平行なトラックのパターンを持ち、前記トラックがアドレス情報領域及びデータ領域を有し、前記アドレス情報領域が前記識別情報を含む、請求項１に記載の装置において、前記編制手段が更に、所定数のトラックの前記アドレス情報領域を読取り、次いで、斯様に読取られたアドレス情報を編制することにより前記識別情報を収集するように適合されることを特徴とする装置。
【手続補正書】
【提出日】平成19年7月30日(2007.7.30)
【手続補正１】
【補正対象書類名】明細書
【補正対象項目名】特許請求の範囲
【補正方法】変更
【補正の内容】
【特許請求の範囲】
【請求項１】非平坦な可展面を撮像する撮像システムであって、該システムは、
イメージ捕捉手段と接続されるプロセッサを含み、
該プロセッサは、面の少なくとも一つのイメージを捕捉することができ、該イメージは平坦な面に対応するゆがみを持ち、
前記プロセッサは、該イメージから平坦な基準面に対する非平坦面の三次元プロファイルを表す第１のポイントのセットを生成することができ、
前記プロセッサは、可展のメッシュを表す第２のポイントのセットを前記第１のポイントセットに適合させ、前記第２のポイントセットを使用して前記イメージのゆがみを取るために前記イメージのテクスチャ・マッピングを行うように構成される、撮像システム。
【請求項２】非平坦な面を横切る分離した光ストライプを形成する構造光パターンを投影するためのイメージ捕捉手段に関連して割り当てられた固定位置に配置された投影器をさらに備える、請求項１に記載の撮像システム。
【請求項３】プロセッサが前記光ストライプから第１のポイントセットを展開するよう構成される、請求項２記載の撮像システム。
【請求項４】イメージ捕捉手段に接続されたプロセッサを含む撮像システムを使用して非平坦の可展面を撮像する方法であって、該方法は、
i)前記非平坦の面に対応するゆがみを持つ、面の少なくとも一つのイメージを捕捉するステップと、
ii)前記イメージから、平坦な基準面に対する前記非平坦な面の三次元プロファイルを表す第１のポイントセットを生成するステップと、
iii)可展のメッシュをあらわす第２のポイントセットを前記第１のポイントセットに適合させるステップと、
iv)該第２のポイントセットを使用して、前記イメージのゆがみ取りをするために該イメージをテクスチャ・マッピングするステップと、
を含む、撮像方法。
【請求項５】前記ステップiii)において、前記第２のポイントセットが前記第１のポイントセットに適合されるとき、前記メッシュが可展でなくなる程度まで変形され、続いて該変形されたメッシュが可展の状態まで弛緩される、請求項４に記載の方法。
【請求項６】前記ステップiii)より前に、初期面は前記第１のポイントセットに適合され、前記ステップiii)において前記メッシュは前記初期面に適合される、請求項５に記載の方法。
【請求項７】前記初期面は可展面であり、前記メッシュを前記初期面に適合させた後に、前記第２のポイントセットのうち少なくともいくつかは、前記第１のデータポイントのセットのうち対応する一つに近づくよう移動されて、その間に前記メッシュが変形される、請求項５に記載の方法。
【請求項８】前記メッシュの前記弛緩は、前記第２のポイントセットが該第２のポイントセットにおけるポイント間の距離が等しくなるまで増分されて調整される繰り返しプロセスで起こる、請求項５に記載の方法。
【請求項９】第２のポイントセットのポイントが前記第１のポイントセットのポイントの何れかと十分近くに対応していない場合は、前記第２のポイントセットの前記ポイントは前記第１のポイントセットに適合されない、請求項４に記載の方法。
【請求項１０】前記非平坦な可展面は丸みのついたドキュメントである請求項４に記載の方法。
【請求項１１】前記ドキュメントの大きさは、長方形を前記第１のポイントセットのうち末端のポイントを囲むように適合させて推定する、請求項１０に記載の方法。
【請求項１２】前記イメージ捕捉手段は非平坦な可展面を横切って分離した光ストライプを形成する構造光を投影し、前記第１のポイントセットは前記光ストライプから生成される、請求項１０に記載の方法。
【請求項１３】前記ステップii)は、
a）前記ストライプと共に捕捉されたイメージおよび前記ストライプなしで捕捉されたイメージの間の差を取って差分イメージを作成するステップと、
b）前記差分イメージをしきい値処理してしきい値以下の部分を破棄するステップと、
c）個々のストライプを識別するために前記差分イメージに沿って検出されたストライプをカウントするステップと、
d）識別されたストライプに対応するポイントで前記非平坦な面の前記イメージを三角形分割して前記第１のポイントセットを生成するステップと、
を含む、請求項１２に記載の方法。